(57)【要約】【課題】電照板保持用の押出成形品になる化粧モールについて、その取付脚部にねじ穴を形成する下穴穿孔，タップの後加工を排除し、しかも化粧モール部品を他機種の自動販売機にもそのまま使用できるようにして部品の共用化，加工コストの低減化が図れるように商品展示室の組立構造を改良する。【解決手段】外扉２に商品見本および商品選択ボタンを上下段に並べて配置する商品展示室５を備えた自動販売機であって、商品展示室の前面に配した電照板６の左右両側縁にアルミ押出成形品になる化粧モール７を設け、該化粧モールに電照板を嵌め込んで外扉の扉面より前方に突き出した位置に押え込み保持するようにしたものにおいて、化粧モール７にはその背後に突出する取付脚部７ａの端面に長手方向のスリット溝７ｂを押出し成形し、前記取付脚部７ａを外扉の窓穴周縁に沿って補強金に形成した取付座２ａに対峙させ、該取付座２ａの背後から前記取付脚部のスリット溝７ｂにタッピンねじ１４を螺合して締結する。【選択図】図１
2007233927.tif 000002
【特許請求の範囲】
【請求項１】
自動販売機
【請求項２】
キャビネットの外扉に商品見本および商品選択ボタンを上下段に並べて配置する商品展示室を備えた自動販売機であって、前記商品展示室の前面に配した電照板の左右両側縁に押出成形品になる化粧モールを設け、該化粧モールを介して電照板を外扉より前方に突き出した位置に押え込み保持するようにしたものにおいて、
前記化粧モールにはその背後に突出する取付脚部の端面に長手方向のスリット溝を押出し成形し、該取付脚部を外扉に開口した展示室窓穴の内側に形成した取付座に重ね、その背後から前記スリット溝にタッピンねじを螺合して引き締め締結したことを特徴とする自動販売機。
【請求項３】
請求項１に記載の自動販売機において、化粧モールがアルミ押出成形品であり、該化粧モールの取付脚部に電照板押え金および商品選択ボタンの取付金をねじ締結したことを特徴とする自動販売機。
【発明の詳細な説明】
【技術分野】
【０００１】
本発明は、キャビネットの外扉に商品展示室を備えた自動販売機に関し、詳しくは商品展示室の前面に配した電照板を外扉から多少前方に突き出して出窓を形成するようにした商品展示室の組立構造に係わる。
【背景技術】
【０００２】
まず、缶，びん，ペットボトル商品の自動販売機を例に、頭記した出窓構造の商品展示室を備えた従来例の自動販売機を図３に示す。図において、１は庫内に商品収納庫を収設した自動販売機のキャビネット、２はその前面に配した外扉であり、外扉２には操作パネル３，商品取出口４と並べて扉の上半部には商品展示室５が画成されている。
【０００３】
ここで、商品展示室５はその前面に配した電照板６（透明なアクリル樹脂板）が次記のように外扉２の前面から多少前方へ突き出して出窓を形成しており、この出窓構造は次記のようにして構築した電照板アセンブリーを外扉２の前面に開口した窓穴に嵌め込んで構成される。すなわち、押出成形品になる左右の化粧モール７と上下のフレーム８（板金加工品）を組み合わせて形成した額縁状の枠に電照板６を嵌め込んだ上で、この電照板６を背後から押し支えるように上下左右に電照板押え金（図示せず）を配して前記化粧モール７，フレーム８にそれぞれねじ締結する。さらに、図示してないが左右の化粧モール７の間には、商品展示室５の室内に配置の展示台１０に陳列した商品見本９と個々に対応する商品選択ボタン１１の支持フレームおよび商品選択ボタンの配線ガイドを兼ねた横桟状の取付金がねじ締結される。
【０００４】
そして、前記のようにして組立てた電照板アセンブリーを外扉２の前面に開口した窓穴へ前方から挿入し、外扉２の窓穴周縁に沿って板金形成された上下左右の補強金から窓穴内方に向けて突き出すように形成したタブ状の取付座に前記の化粧モール７およびフレーム８を重ね合わせてねじ締結する。これにより出窓式の商品展示室５が構成される。なお、詳細を図示してないが、商品展示室５の室内に配置した商品見本の展示台１０は商品展示室５の背後に配した扉の板面に設置されている。
【０００５】
また、前記の化粧モール７はアルミ材の押出成形品であって、その背後に突出する取付脚部が一体に押出成形されおり、この取付脚部に左右の電照板押え金，および商品選択ボタンの支持フレームとなる前記取付金をねじ締結して電照板アセンブリーを組立てるようにし、さらに電照板アセンブリーを外扉２の窓部に嵌め込んだ組み付け位置では、その窓穴内側の補強金に形成した取付座に前記化粧モールの取付脚部を重ね合わせ、その背後からねじを螺合して引き締め締結するようにしている。
【０００６】
上記のように商品展示室５の前面に配した電照板６を出窓式に保持した構成では、在来の一般的な自動販売機のように商品展示室の電照板が外扉の表面から引っ込んで扉板の裏側に保持されている構造と比べて、商品展示室に奥行き感を持たせることができてデザイン的にもアピール性の高い意匠効果が得られる。
【発明の開示】
【発明が解決しようとする課題】
【０００７】
ところで、商品展示室５に配した出窓式の電照板アセンブリーの組立構造に関して、前記した従来構造では組立工程，およびアセンブリー部品の管理面で次記のような課題がある。
【０００８】
すなわち、電照板アセンブリーの組立工程でアルミ押出成形品になる化粧モール７を電照板押え金，商品選択ボタンの取付金，および外扉側の取付金にねじ締結する場合に、従来構造では所定のねじ止め箇所に合わせて化粧モールの取付脚部端面にドリルを用いてねじ下穴を穿孔し、次いでこの下穴にタップ加工を施してねじ立てした上で、組立工程でねじ締結作業を行う必要がある。そのために化粧モール７の取付脚部に対するねじ穴加工（後加工）に要する手間，作業工数が多くなる。しかも、商品展示室５の室内に配置する展示台１０，商品選択ボタン１１の設置段数，取付け高さ位置は、販売商品の種類，サイズ、もしくは顧客の要求によって変更されることから、あらかじめ取付脚部にねじ穴加工を施した化粧モール７は、そのままでは他機種の自動販売機に流用して部品を共用することができず、このためにアセンブリー部品の管理が煩雑となる。
【０００９】
本発明は上記の点に鑑みなされたものであり、電照板保持用の押出成形品になる化粧モールについて、その取付脚部にねじ穴を形成する下穴穿孔，タップの後加工を排除し、しかも化粧モールの部品を他機種の自動販売機にもそのまま使用できるようにして部品の共用化，加工コストの低減化が図れるよう商品展示室の組立構造を改良した自動販売機を提供することを目的とする。
【課題を解決するための手段】
【００１０】
上記目的を達成するために、本発明によれば、キャビネットの外扉に商品見本および商品選択ボタンを上下段に並べて配置する商品展示室を備えた自動販売機であって、前記商品展示室の前面に配した電照板の左右両側縁に押出成形品になる化粧モールを配設し、該化粧モールを介して電照板を外扉より前方に突き出した位置に押え込み保持するようにしたものにおいて、
前記化粧モールにはその背後に突出する取付脚部の端面に長手方向のスリット溝を押出し成形し、商品展示室の組立工程では前記取付脚部を外扉に開口した展示室窓穴の内側に形成した取付座に重ね、その背後から前記スリット溝にタッピンねじを螺合して引き締め締結する（請求項１）。
【００１１】
また、前記の化粧モールはアルミ押出成形品であり、該化粧モールの取付脚部に電照板押え金および商品選択ボタンの取付金をタッピンねじで前記と同様な方法により締結する（請求項２）。
【発明の効果】
【００１２】
上記の構成によれば、電照板アセンブリーの組立工程で電照板の左右両側縁に配設した化粧モールにアセンブリー部品（例えば電照板押え金，商品選択ボタンの取付金）をねじ締結する、もしくは電照板アセンブリーを外扉に組み付ける工程で化粧モールを外扉にねじ止めする際に、従来のように化粧モールの取付脚部にねじ下穴の穿孔，タップ立てなどの後加工を要さずに、脚部端面に押出成形したスリット溝をねじ穴に代用してタッピンねじを螺合して引き締めすることにより、化粧モールを介して電照板を所定の位置に押さえ込み保持することができて作業工数の削減化が図れる。しかも、自動販売機の機種により商品展示室に配備する商品選択ボタンの上下段数，取付高さ位置が異なる場合でも、これに制約されることなく前記構造の化粧モールを共用部品として他機種の自動販売機にも使用することができ、これにより部品の管理合理化，コスト低減化が図れる。
【発明を実施するための最良の形態】
【００１３】
以下、本発明の実施の形態を図１〜図３に示す実施例に基づいて説明する。なお、図１（ａ）は商品電照室の組立構造を表す要部の横断面図、図１（ｂ）は化粧モールの外形斜視図、図２，図３はそれぞれ図１に示した商品展示室の正面および背面図あり、実施例の図中で図４に対応する部材には同じ符号を付してその説明は省略する。
【００１４】
この実施例においては、アルミ押出成形品で作られた電照板保持用の化粧モール７について、図１（ｂ）で示すように化粧モール７から背後に突き出す取付脚部７ａの後端面にはモールの長手方向に沿ってスリット溝７ｂが押出し形成されている。
【００１５】
そして、図１（ａ）で示すように電照板アセンブリーを外扉２に組み付けた組立位置で、化粧モール７の取付脚部２ａを後記のように外扉２の窓穴周縁に沿って配設した補強金に形成した取付座に当てがい、ここで取付座の背後からタッピンねじ１４を前記スリット溝７ｂに螺合して化粧モール７を引き締めするようにしている。なお、スリット溝７ｂの溝幅は、ここに螺合するタッピンねじ１４の外径よりも若干狭い幅に設定しておくものとする。
【００１６】
すなわち、図１（ａ）において、外扉２には商品展示室５に対応して扉前面に開口した窓穴にはその周縁（上下左右）に沿って断面Ｌ字状に板金した補強金（図１（ａ）では前方から見て左側の補強金２Ｌが描かれている）が形成されており、この補強金には前記窓穴の内方へ突き出して電照板アセンブリーをねじ締結するタブ状の取付座２ａが分散形成されている。また、１２は商品選択ボタン１１（図２，図３参照）を装着する横桟状の取付金、１３は断面コ字形の電照板押え金（コ字形の一方の脚片で電照板６を背後から押え、他方の脚片を化粧モール７の取付脚部７ａの端面に重ねてねじ締結する）であり、これら部品は化粧モール７の取付脚部２ａに形成した前記のスリット溝２ｂにねじ止めして固定するようにしている。
【００１７】
次に、電照板アセンブリーの組立てについて説明する。先ず、左右の化粧モール７と上下のフレーム（板金加工品）８とをねじ締結して額縁状の枠を構成する。この場合、化粧モール７の上下両端とフレーム８の左右両端を重ね合わせ、前記枠の四隅で化粧モール７とフレーム８との間がねじ止めされる。次に、化粧モール７とフレーム８とで形成した額縁状の枠に電照板６を嵌め込んだ後、電照板６の背後の上下左右に前記した断面コ字形の電照板押え金（図１では左側の電照板押え金１３が示されている）を配設する。そして、左右の電照板押え金１３の脚片を化粧モール７の取付脚部７ａの端面に重ね合わせ、この位置で背後からタッピンねじ１５（図３参照）を前記スリット溝７ｂに螺合してねじ締結し、さらに上下の電照板押え金（図３では上側の電照板押え金１３Ｕを示している）をそれぞれ上下のフレーム８にねじ１５（図３参照）で固定する。次いで、左右の化粧モール７の間に跨がって背面側から商品選択ボタン１１の取付フレームとしての取付金１２（図３参照）を重ね合わせ、その取付金１２の両端部をタッピンねじ１５により前記スリット溝７ｂに螺合して（図３参照）ねじ締結する。これにより、電照板アセンブリーの組立てが完了する。
【００１８】
また、前述したように組立てられた電照板アセンブリーを外扉２に組付ける組立工程では、電照板アセンブリーを外扉２に開口した窓穴へ前方から挿入する。この場合に、外扉２の窓穴の周縁に沿って上下左右に断面Ｌ字状に板金加工した補強金（図３では扉正面から見て左側の補強金２Ｌと上側の補強金２Ｕを示している）に形成されたタブ状の取付座２ａが窓穴の開口周縁から内方に向けて突き出すように露出しており、この取付座２ａの前面に電照板アセンブリーの左右に配した化粧モール７と上下に配したフレーム８を重ね合わせる。なお、上下フレーム８にはあらかじめ取付座２ａ（図３では上側の補強金２Ｕに形成された取付座２ａを示している）と対侍する位置にねじ穴を加工しておき、上下のフレーム８に対応する取付座２ａの背後からタッピンねじ１４を螺合してねじ締結する。
【００１９】
一方、左右の化粧モール７は外扉側の補強金に形成した取付座（図３では左側の補強金２Ｌに形成された取付座２ａを示している）の背後から前記した取付脚部７ａのスリット溝７ｂにタッピンねじ１４を螺合させてねじ締結する。この場合、それぞれのタッピンねじ１４をねじ締め操作すると、化粧モール７およびフレーム８が引き締め（取付座２ａの方に引き寄せられる）されて電照板６が化粧モール７およびフレーム８と電照板押え金（図３では左側の電照板押え金１３と上側の電照板押え金１３Ｕが示されている）との間に前後から押さえ込まれるようになる。このようにして電照板アセンブリ−を外扉２に組付けることにより、電照板６は外扉２の前面から出窓式に突き出して保持される。
【００２０】
以上述べた電照板アセンブリーの組立および外扉への組み付け工程の説明から判るように、化粧モール７の取付脚部７ａに対してあらかじめねじ穴をタップ加工する後加工が必要なく、従来の組立構造に比べて作業工数の大幅な削減が図れる。さらに、自動販売機の機種，顧客の要求により商品展示室５の室内に配置する商品展示台１０，商品選択ボタン１１の配列段数，取付高さ位置を変更する場合でも、化粧モール７を共用部品として使用することができて電照板アセンブリ−の部品，組立工程の管理を合理化できる。
【００２１】
なお、図示実施例では化粧モール７をアルミ材の押出成形品としてが、その材質はアルミ材に限定されるものではなく、例えば樹脂の押出成形品を採用してもよい。
【図面の簡単な説明】
【００２２】
【図１】本発明の実施例による商品展示室の組立構造を表す図で、（ａ）はその要部構造の横断面図、（ｂ）は（ａ）における化粧モールの外形斜視図
【図２】外扉の前方から見た図１の斜視正面図
【図３】外扉の背面側から見た図１の背面図
【図４】外扉に商品展示室を備えた自動販売機の全体構成図
【符号の説明】
【００２３】
１    自動販売機のキャビネット
２    外扉
２ａ  電照板アセンブリーの取付座
５    商品展示室
６    電照板
７    化粧モール
７ａ  取付脚部
７ｂ  スリット溝
８    フレーム
９    商品見本
１０    陳列台
１１    商品選択ボタン
１２    商品選択ボタンの取付金
１４，１５  タッピンねじ
【図１】
2007233927.tif 000003
【図２】
2007233927.tif 000004
【図３】
2007233927.tif 000005
【図４】
2007233927.tif 000006